(57)【要約】【課題】  既に設置された通信中継装置の旧制御用プログラムの更新を容易にでき、新たに追加した通信中継装置の機能を十分に発揮することができる空調システムを提供する。【解決手段】  通信中継装置３−１〜３−３に備えられた各制御用プログラムのバージョン情報の新旧判断を行うバージョン判断手段と、これら制御用プログラムのバージョン情報に新旧の差が検出された場合、旧バージョンの制御用プログラムを新バージョンの制御用プログラムへと更新させるプログラム更新手段とを備えさせ、例えば、各通信中継装置３−１〜３−３に備えられた操作部１４の操作スイッチ１４ｃの操作により、前記バージョン判断手段、および、プログラム更新手段を実行させる。【選択図】      図９
2005282966.tif 000002
【特許請求の範囲】
【請求項１】
集中制御装置から延びるメイン通信配線へ複数台の通信中継装置を並列に接続するとともに、各通信中継装置から夫々サブ通信配線を延ばし、このサブ通信配線に１台または複数台の空気調和装置を並列に接続して構成し、前記集中制御装置と各前記空気調和装置との送受信を前記通信中継装置を介して行う空調システムにおいて、
前記通信中継装置は、当該通信中継装置に備えられたマイコンプラグムと他の通信中継装置に備えられた制御用プログラムとの新旧を判断するバージョン判断手段を備えるとともに、このバージョン判断手段により、互いの制御用プログラムに新旧の差が検出された場合には、旧制御用プログラムを新制御用プログラムへと書き換えるプログラム更新手段を備えることを特徴とする空調システム。
【請求項２】
前記バージョン判断手段は、前記メイン通信配線を通じて他の通信中継装置との送受信を行って、前記他の通信中継装置に備えられた制御用プログラムのバージョン情報を、前記通信集中制御装置へと収集して行うことを特徴とする請求項１に記載の空調システム。
【請求項３】
前記バージョン判断手段は、前記通信中継装置に備えられた制御用プログラムと、他の通信中継装置に備えられた制御用プログラムとで新旧の差を検出した場合、これを報知することを特徴とする請求項１または請求項２に記載の空調システム。
【請求項４】
前記プログラム更新手段は、新制御用プログラムを備えた通信中継装置から前記メイン通信配線を通じて旧制御用プログラムを備えた通信中継装置へと前記新制御用プログラムを書き込むことを特徴とする請求項１に記載の空調システム。
【請求項５】
前記プログラム更新手段は、前記旧制御用プログラムから前記新制御用プログラムへの更新中には、これを報知することを特徴とする請求項１または請求項４に記載の空調システム。
【請求項６】
前記バージョン判断手段、および、前記プログラム更新手段は、前記通信中継装置に備えられた操作スイッチを操作することにより開始されることを特徴とする請求項１乃至請求項５のいずれかに記載の空調システム。
【発明の詳細な説明】
【技術分野】
【０００１】
本発明は、例えば店舗等において室内空調や冷却貯蔵設備の庫内冷却を行うための空調冷凍装置に関するものである。
【背景技術】
【０００２】
これまでの空調システムでは、１台の集中制御装置に多数の空気調和装置を接続して集中制御を行わせる場合には、前記集中制御装置から延びるメイン通信配線に複数台の通信中継装置を並列に接続するとともに、各通信中継装置から夫々サブ通信配線を延ばし、このサブ通信配線に１台または複数台の空気調和装置を接続して構成し、前記集中制御装置と各前記空気調和装置との送受信を前記通信中継装置で中継させて行わせることが提案されている（例えば、特許文献１参照）。
【特許文献１】特開平１１−１３２５３７号公報
【発明の開示】
【発明が解決しようとする課題】
【０００３】
しかし、これまでの空調システムでは、前記集中制御装置で集中管理を行わせる空気調和装置を増設したりする場合には、例えば、新たな通信中継装置を設け、この通信中継装置から延びるサブ通信配線に前記空気調和装置を接続して構成するものとなっている。この場合、各通信中継装置に備えられる制御用プログラムの各バージョンが異なってしまう可能性があり、もし、新旧の制御用プログラムを備えた通信中継装置を混在して使用した場合には、新制御用プログラムを備えた通信中継装置の機能が、旧制御用プログラムの機能に制限されてしまうという問題があった。
【０００４】
そこで、本発明は、係る課題を解決するために成されたものであり、既に設置された通信中継装置の旧制御用プログラムの更新を容易にでき、新たに追加した通信中継装置の機能を十分に発揮することができる空調システムを提供することにある。
【課題を解決するための手段】
【０００５】
請求項１に記載の発明は、集中制御装置から延びるメイン通信配線へ複数台の通信中継装置を並列に接続するとともに、各通信中継装置から夫々サブ通信配線を延ばし、このサブ通信配線に１台または複数台の空気調和装置を並列に接続して構成し、前記集中制御装置と各前記空気調和装置との送受信を前記通信中継装置を介して行う空調システムにおいて、前記通信中継装置は、当該通信中継装置に備えられたマイコンプラグムと他の通信中継装置に備えられた制御用プログラムとの新旧を判断するバージョン判断手段を備えるとともに、このバージョン判断手段により、互いの制御用プログラムに新旧の差が検出された場合には、旧制御用プログラムを新制御用プログラムへと書き換えるプログラム更新手段を備えることを特徴とするものである。
【０００６】
請求項２に記載の発明は、請求項１に記載のものにおいて、前記バージョン判断手段は、前記メイン通信配線を通じて他の通信中継装置との送受信を行って、前記他の通信中継装置に備えられた制御用プログラムのバージョン情報を、前記通信集中制御装置へと収集して行うことを特徴とするものである。
【０００７】
請求項３に記載の発明は、請求項１または請求項２に記載のものにおいて、前記バージョン判断手段は、前記通信中継装置に備えられた制御用プログラムと、他の通信中継装置に備えられた制御用プログラムとで新旧の差を検出した場合、これを報知することを特徴とするものである
請求項４に記載の発明は、請求項１に記載のものにおいて、前記プログラム更新手段は、新制御用プログラムを備えた通信中継装置から前記メイン通信配線を通じて旧制御用プログラムを備えた通信中継装置へと前記新制御用プログラムを書き込むことを特徴とするものである。
【０００８】
請求項５に記載の発明は、請求項１または請求項４に記載のものにおいて、前記プログラム更新手段は、前記旧制御用プログラムから前記新制御用プログラムへの更新中には、これを報知することを特徴とするものである。
【０００９】
請求項６に記載の発明は、請求項１乃至請求項５のいずれかに記載のものにおいて、前記バージョン判断手段、および、前記プログラム更新手段は、前記通信中継装置に備えられた操作スイッチを操作することにより開始されることを特徴とするものである。
【発明の効果】
【００１０】
請求項１に記載の発明によれば、集中制御装置から延びるメイン通信配線へ複数台の通信中継装置を並列に接続するとともに、各通信中継装置から夫々サブ通信配線を延ばし、このサブ通信配線に１台または複数台の空気調和装置を並列に接続して構成し、前記集中制御装置と各前記空気調和装置との送受信を前記通信中継装置を介して行う空調システムにおいて、前記通信中継装置は、当該通信中継装置に備えられたマイコンプラグムと他の通信中継装置に備えられた制御用プログラムとの新旧を判断するバージョン判断手段を備えるとともに、このバージョン判断手段により、互いの制御用プログラムに新旧の差が検出された場合には、旧制御用プログラムを新制御用プログラムへと書き換えるプログラム更新手段を備えているので、集中制御装置および通信中継装置の機能を十分利用した制御を行うことができる。
【００１１】
請求項２に記載の発明によれば、前記バージョン判断手段は、前記通信中継装置と他の通信中継装置とで、前記メイン通信配線を通じて通信により互いの制御用プログラムのバージョン情報を確認するものとしているため、容易に確認することができる。
【００１２】
請求項３に記載の発明によれば、前記バージョン判断手段は、前記通信中継装置に備えられた制御用プログラムと、他の通信中継装置に備えられた制御用プログラムとで新旧の差が検出された場合には報知するようにしているため、サービスマンや、施工業者等へ、旧制御用プログラムを備えた通信中継装置の存在を知らしめることができる。
【００１３】
請求項４に記載の発明によれば、前記プログラム更新手段は、新制御用プログラムを備えた通信中継装置からメイン通信配線を通じて旧制御用プログラムを備えた通信中継装置へと前記新制御用プログラムを書き込むものとしているため、前記旧制御用プログラムを容易に前記新制御用プログラムへと更新することができる。
【００１４】
請求項５に記載の発明によれば、前記プログラム更新手段は、旧制御用プログラムから新制御用プログラムへの更新中には、これを報知するものとしているため、前記サービスマンや前記設備業者等が、このプログラム更新手段の実行中であることを容易に判断することができる。
【００１５】
請求項６に記載の発明によれば、前記バージョン判断手段、および、前記プログラム更新手段は、通信中継装置に備えられた操作スイッチを操作することにより開始されるものとしているため、前記サービスマンや前記設備業者の作業内容に合わせて制御用プログラムの更新を行わせることができる。
【発明を実施するための最良の形態】
【００１６】
以下、図面に基づき本発明の実施形態を詳述する。
【００１７】
図１は、空調システム１の概要構成を示すブロック図である。空調システム１は、空調システム１全体を制御する集中制御装置２と、集中制御装置２に多重伝送方式を用いた２線方式のメイン通信配線ＬＭを介して接続された通信中継装置３−１〜３−３と、各通信中継装置３−１〜３−３にメイン通信配線ＬＭと同様に２線方式のサブ通信配線ＬＳ１〜ＬＳ３を介して接続された被制御装置群ＵＧとからなっている。
【００１８】
次に、被制御装置群ＵＧの態様について図１を参照して説明する。被制御装置群ＵＧの態様は、様々考えられるが、以下、その一例を説明する。
【００１９】
前記第１通信中継装置３−１には、サブ通信配線ＬＳ１を介して被制御装置としての複数の室内ユニット２０および室外ユニット制御装置２１が接続され、さらにローカル制御装置としての室外ユニット制御装置２１を介して複数の室外ユニット２２が接続されている。
【００２０】
第２通信中継装置３−２には、第１サブ通信配線ＬＳ２１を介して複数の室内ユニット２０および一つの室外ユニット２２が接続された第１被制御装置群が接続され、第２サブ通信配線ＬＳ２２を介して同様に複数の室内ユニット２０および一つの室外ユニット２２が接続された第２被制御装置群が接続されている。
【００２１】
第３通信中継装置３−３には、サブ通信配線ＬＳ３を介して一つの室内ユニット２０に一つの室外ユニット２３が接続されている室内外ユニットセット２４が複数接続されており、さらに一つのリモートコントローラ２５の制御ラインであるグループ制御通信配線ＧＬを介して複数の室内外ユニットセット２６が接続されている。
【００２２】
ここで、集中制御装置２、通信中継装置３−１および通信中継装置３−２の構成について説明する。
【００２３】
集中制御装置２は、後述する通信中継装置の構成とほぼ同様な構成を有する通信制御ボード、各種制御を行う後述のコントロールボード等が格納されたコントローラ本体２−１と、各種設定データ、被制御装置の動作状態等を表示する表示部２−２と、各種データをプリントアウトするためのプリンタ２−３とを備えて構成されている。
【００２４】
通信中継装置３−１は、図２に示すように、通信中継装置３−１全体を制御するＣＰＵ１０と、制御用プログラムやデータ等が格納されたＲＯＭ１１と、一時的に各種データを格納するＲＡＭ１２と、外部とのインターフェース動作を行うインターフェース部１３と、この通信中継装置３−１の各種設定操作等を行う操作部１４と、前記操作部１４で設定された内容や異常等の各種表示を７セグメントＬＥＤ等で行う表示部１５とからなっており、ＣＰＵ１０、ＲＯＭ１１、ＲＡＭ１２、インターフェース部１３、操作部１４および表示部１５とは、バスを介して接続さている。さらに室内ユニット、室外ユニット等の被制御装置Ｕ１１〜Ｕ１ｎは、インターフェース部１３およびサブ通信配線ＬＳ１を介して接続されている。他の通信中継装置３−３についても同様である。また、通信中継装置３−２は、図３に示すように、通信中継装置３−１とほぼ同様に通信中継装置３−２全体を制御するＣＰＵ１０と、制御用プログラムやデータ等が格納されたＲＯＭ１１と、データバッファとしても機能し一時的に各種データを格納するＲＡＭ１２と、外部とのインターフェース動作を行うインターフェース部１３Ａと、この通信中継装置３−２の各種設定操作等を行う操作部１４と、前記操作部１４で設定された内容や異常等の各種表示を７セグメントＬＥＤ等で行う表示部１５とからなっており、ＣＰＵ１０、ＲＯＭ１１、ＲＡＭ１２、インターフェース部１３Ａ、操作部１４および表示部１５とは、バスを介して接続されている。更に、室内ユニット、室外ユニット等の被制御装置Ｕ１１〜Ｕ１ｎは、インターフェース部１３Ａ、通信用接続端子Ｔ２１およびサブ通信配線ＬＳ２１を介して接続され、更にまた、被制御装置Ｕ２１〜Ｕ２ｎは、インターフェース１３Ａ、通信用接続端子Ｔ２２およびサブ通信配線ＬＳ２２を介して接続されている。
【００２５】
次に室内ユニットの制御系について、通信中継装置３−１にサブ通信配線ＬＳ１を介して接続されている室内ユニット２０を例として説明する。
【００２６】
室内ユニット２０は、図４に示すように、室内ユニット２０全体を制御するＣＰＵ３０と、制御用プログラム、データ等が格納されたＲＯＭ３１と、一時的に各種データを格納するＲＡＭ３２と、外部とのインターフェース動作を行うインターフェース部３３とからなっており、ＣＰＵ３０、ＲＯＭ３１、ＲＡＭ３２およびインターフェース部３３とは、バスを介して接続されている。更に、通信中継装置３−１、他の室内ユニット２０および室外ユニット制御装置２１とは、インターフェース部３３およびサブ通信配線ＬＳ１を介して接続されている。
【００２７】
次に室外ユニット制御装置２１の構成について、図５を参照して説明する。
【００２８】
室外ユニット制御装置２１は、図５に示すように、室内ユニットコントローラ２１全体を制御するＣＰＵ４０と、制御用プログラム、データ等が格納されたＲＯＭ４１と、一時的に各種データを格納するＲＡＭ４２と、外部とのインターフェース動作を行うインターフェース部４３とからなっており、ＣＰＵ４０、ＲＯＭ４１、ＲＡＭ４２およびインターフェース部４３とは、バスを介して接続されている。更に通信中継装置３−１および室内ユニット２０とは、インターフェース部３３およびサブ通信配線ＬＳ１を介して接続されており、各室外ユニット２２とは、第２サブ通信配線ＬＳＢを介して接続されている。
【００２９】
図６にコントローラ本体２−１内のコントロールボード５０の概略構成図を示す。コントロールボード５０は、タイミング制御信号Ｃｔｍを出力する内部タイマ５１Ａを有するとともに、コントロールボード５０全体を制御するＣＰＵ５１と、自動制御を行うための制御用プログラム、データ等が格納されたＲＯＭ５２と、一時的に各種データを格納するとともに、自動制御を行うための各種データを格納・保持するための不揮発性ＲＡＭ５３と、外部とのインターフェース動作を行うインターフェース部５４とからなっており、ＣＰＵ５１、不揮発性ＲＡＭ５３、インターフェース部５４、表示部２−２とは、バスを介して接続されている。
【００３０】
さらに通信中継装置３−１〜３−３とは、インターフェース部５４およびメイン通信配線ＬＭを介して接続されている。
【００３１】
以上の構成の空調システム１はテナントビル等の複数のユーザが混在する環境に設置されることが多い。このため、前記ユーザの要望により、集中制御装置２および通信中継装置３−１〜３−３の機能を更新することがある。
【００３２】
そして、本発明の空調システム１は、これら通信中継装置３−１〜３−３に備えられた夫々の制御用プログラムのバージョンが異なっていれば、これを検出して判断するバージョン判断手段と、旧バージョンとなっている制御用プログラムを前記夫々の制御用プログラムのうち最も新しいバージョンの制御用プログラムへと書き替えるプログラム更新手段を備えていることである。
【００３３】
まず、バージョン判断手段について通信中継装置３−１を例として説明すると、例えば、図７に示すように、通信中継装置３−１の操作部１４には、複数の操作スイッチ１４ａ〜１４ｃが設けられており、操作スイッチ１４ｃが操作されると、ＲＯＭ１１に格納されている前記バージョン判断手段のプログラムが、ＣＰＵ１０へと読み出されて実行され、インターフェース部１３およびメイン通信配線ＬＭを介して、通信中継装置３−２および３−３との通信が行われ、これら通信中継装置３−２、３−３の各ＲＯＭ１１、１１に格納されている夫々の制御用プログラムのバージョン情報が通信中継装置３−１のＲＡＭ１２へと収集される。
【００３４】
そして、ＣＰＵ１０で、この通信中継装置３−１のＲＯＭ１１に格納された制御用プログラムのバージョン情報と、収集された前記通信中継装置３−２、３−３の夫々の制御用プログラムのバージョン情報との比較が行われ、もし、各制御用プログラムのバージョン情報に新旧の差があれば、通信中継装置３−１の表示部１５へ、図８（ａ）に示すように、「ＣＰ」の点滅表示が表示され、前記バージョン情報に新旧の差が無ければ、図８（ｂ）に示すように、前記通信中継装置３−１のＲＯＭ１１内に格納された前記制御用プログラムのバージョンが、所定時間表示されるものとなっている。
【００３５】
次に、上記各制御用プログラムのバージョン情報に新旧の差があった場合、つまり、表示部１５へ図８（ａ）に示す「ＣＰ」の点滅表示が表示された場合、今度は、前記操作スイッチ１４ｃを、例えば、２秒以上の長押しの操作を行うと、旧制御用プログラムを新制御用プログラムへと書き替える前記プログラム更新手段が行われる。
【００３６】
この場合、もし、通信中継装置３−１のＲＯＭ１１に格納された制御用プログラムのバージョンよりも新しいバージョンの制御用プログラムがあれば、その制御用プログラムを、この通信中継装置３−１のＲＯＭ１１へと書き込むプログラム更新手段が優先されて実行される。この時の表示としては、図８（ｃ）に示すように、「ＣＰ  ０１−」が点滅表示されることとなる。また、もし、他の通信中継装置３−２、３−３のＲＯＭ１１、１１が、通信中継装置３−１のＲＯＭ１１に格納された制御用プログラムのバージョンより古いバージョンの制御用プログラムを備えていれば、この古いバージョンの制御用プログラムを備えた通信中継装置３−２、３−３のＲＯＭ１１、１１へ通信中継装置３−１のＲＯＭ１１に格納された制御用プログラムを書き替える前記プログラム更新手段が行われる。
【００３７】
この時の表示としては、図８（ｄ）に示すように、「ＣＰ  −０１」が点滅表示されることとなる。
【００３８】
これについて、図９に示すフローチャートを参照して説明すると、まず、操作部１４の操作スイッチ１４ｃが操作されたか否かの判断が行われ（ステップＳ１）、前記操作スイッチ１４ｃの操作が行われていなければ、このフローチャートの最初へ戻り、このステップＳ１が繰り返され、前記操作スイッチ１４ｃが操作されると、インターフェース１３およびメイン通信配線ＬＭを介して、他の通信制御装置３−２、３−３のＲＯＭ１１、１１に格納された制御用プログラムのバージョン情報が、前記通信中継装置３−１のＲＡＭ１２へと収集される（ステップＳ２）。そして、この通信中継装置３−１のＲＯＭ１１に格納された制御用プログラムのバージョン情報が確認され、この制御用プログラムと、上記他の通信制御装置３−２、３−３から収集された夫々の制御用プログラムとのバージョン情報が順次比較される（ステップＳ３）。その結果、バージョン情報に新旧の差が無ければ、表示部１５へ通信中継装置３−１のＲＯＭ１１に格納された制御用プログラムのバージョン情報を所定時間点灯表示して（ステップＳ４）、このフローチャートを終了し、新旧の差があれば、表示部１５へ「ＣＰ」を点滅表示させて（ステップＳ５）、今度は、前記操作スイッチ１４ｃが、例えば、２秒以上長押しされたか否かを判断し（ステップＳ６）、前記２秒以上の長押しが行われていなければ、このステップＳ６の判断を繰り返し、前記２秒以上の長押しが行われていれば、ステップＳ７へと進んで、他に、この通信中継装置３−１のＲＯＭ１１に格納された制御用プログラムよりも新しいバージョンの制御用プログラムがあるか否かの判断が行われる（ステップＳ７）。そして、新しいバージョンの制御用プログラムが他に無ければ、ステップＳ１０へと進み、新しいバージョンの制御用プログラムが他にあれば、前記表示部１５に「ＣＰ  ０１−」を点滅表示させ（ステップＳ８）、この新しいバージョンの制御用プログラムを、通信中継装置３−１のＲＯＭ１１へと書き込んで、この通信中継装置３−１の制御用プログラムの更新を行い（ステップＳ９）、表示部１５へ「ＣＰ」を点滅表示させる（ステップＳ１０）。次に、この通信中継装置３−１のＲＯＭ１１に格納された制御用プログラムよりも古いバージョンの制御用プログラムがあるか否かの判断が行われ（ステップＳ１１）、このステップＳ１０で、古いバージョンの制御用プログラムが無ければ、前記表示部１５の点滅表示を消灯させて（ステップＳ１２）、このフローチャートを終了し、古いバージョンの制御用プログラムがあれば、前記表示部１５に「ＣＰ  −０１」を点滅表示させ（ステップＳ１３）、通信中継装置３−１のＲＯＭ１１に格納された制御用プログラムを通信中継装置３−２、３−３のいずれか前記古いバージョンの制御用プログラムを備えた通信中継装置へと書き込み（ステップＳ１４）、表示部１５の点滅表示を消灯させて（ステップＳ１５）、このフローチャートを終了する。
【００３９】
以上のように、本発明の空調システムでは、各通信中継装置の夫々に備えられた制御用プログラムの新旧を比較して判断するバージョン判断手段と、もし、いずれかの制御用プログラムが旧バージョンであった場合、これを新しいバージョンへと書き替えるバージョン更新手段とを備えているので、新たに設けた通信中継装置の機能を十分に発揮させることができるものとなる。
【００４０】
なお、実施例で示した各設定値や配管構成等はそれに限定されるものでは無く、本発明の趣旨を逸脱しない範囲で適宜変更可能である。
【産業上の利用可能性】
【００４１】
中継装置を増設することにより通信範囲を拡張可能とする空調システム等の通信システムに好適である。
【図面の簡単な説明】
【００４２】
【図１】本発明の空調システムの概要構成を示すブロック図である。
【図２】通信中継装置の概要構成を示すブロック図である。
【図３】他の通信中継装置の概要構成を示すブロック図である。
【図４】室内ユニットの制御系の概要構成を示すブロック図である。
【図５】室外ユニット制御装置の制御系の概要構成を示すブロック図である。
【図６】コントロールボードの概要構成を示すブロック図である。
【図７】通信中継装置の操作部の概要構成図である。
【図８】本発明のバージョン判断手段およびプログラム更新手段での表示部の表示例を示した図である。
【図９】本実施形態のフローチャートである。
【符号の説明】
【００４３】
１  空調システム
２  メインコントローラ（集中制御装置）
２−１  コントローラ本体
２−２  表示部（コントローラ本体）
３−１〜３−３  通信中継装置
１０  ＣＰＵ
１１  ＲＯＭ
１２  ＲＡＭ
１３、１３Ａ  インターフェース部
１４  操作部
１５  表示部（通信中継装置）
２０  室内ユニット
２１  室外ユニット制御装置
２２、２３  室外ユニット
２４、２６  室内外機セット
２５  リモートコントローラ
【図１】
2005282966.tif 000003
【図２】
2005282966.tif 000004
【図３】
2005282966.tif 000005
【図４】
2005282966.tif 000006
【図５】
2005282966.tif 000007
【図６】
2005282966.tif 000008
【図７】
2005282966.tif 000009
【図８】
2005282966.tif 000010
【図９】
2005282966.tif 000011